(57)【要約】【課題】冬の寒い時も熱い夏も、子供が自発的に勉強部屋に行って机に向うよう、机に様々なシーズン対策を講じる。【解決手段】机に５機能を付ける。主体となる暖房箱を机の下に置き、箱のつま先部分に置く電気ファンヒーターの温風を、３本のビニール管に分岐し、夫々を右足・両足間・左足に添って箱の壁に敷設し、管先端を天井の外に出す。一方、机の天板を箱の横幅分だけ開口して天板ケースを詰め、ここに下から暖房箱を併せる。天板ケースは底に３か所穴を開けていて、暖房箱天井のビニール管３本と結ばれる。以上より、まず暖房箱内を通過するビニール管の熱伝導で、▲１▼箱の中の足を暖める。次に天板ケースに導いた温風で、▲２▼ケースの上に置く両手を温め、▲３▼ケースに入れた湯飲み茶わんを温め、▲４▼ケースに入れた濡れタオルで天板付近を加湿する。なお夏は、ファンヒーターの熱線回路ＯＦＦ運転で、▲５▼ケース内濡れタオル蒸発気化熱の「打ち水」効果で、天板まわりを涼しくする。【選択図】図８
2020139723.tif 000002
【特許請求の範囲】
【請求項１】
冬季に、ソファーなどに座って憩う人に向けた、足の下腿部分を温める電気ファンヒーターを内蔵する暖房箱の考案であって、
前記暖房箱の形状を、膝からつま先までの下腿部分だけを収容する「Ｌ字形多面体」にし、
前記暖房箱を作る資材を、天井・壁面・土台の躯体は木材や熱硬化樹脂など硬い材料を使い、一方ソファーに面す暖房箱後ろは軟らかい布材を使い、
前記軟らかい布材とは下腿出入り用の布幕であって、底を抜いた巾着袋の下部を暖房箱後面の天井・左右壁・土台を一周して留め、巾着袋上部の巾着紐のゴム伸び縮みでここを下腿出入り口の布幕としており、
以上硬軟２資材で閉じた暖房箱を作ると共に、
前記閉じた暖房箱の中の下腿つま先部分にファンヒーターを取り付けるが、ファンヒーターの外気導入に、つま先部分壁をファンヒーター外気導入口の大きさに開口して取付け、
前記取り付けたファンヒーターの温風送風口に熱硬化樹脂の椀を被せた後、椀に４カ所椀穴をあけて温風送風先を指定し、
前記第一の椀穴に、熱伝導率がよく管の中を通る温風を管外に熱伝導しやすいビニール管または薄いアルミニューム管を繋ぎ、この管を右足つま先から右膝までの下肢に沿って右側の暖房箱壁伝いに敷設、すなわち右下腿と右壁の間に管を通すかたちで側壁に取り付けていき、管先端を右膝部分の天井壁に設けた天井穴に出して温風を暖房箱の外に放出し、
前記第二の椀穴に、前記同様の管を繋ぎ、この管を左足つま先から左膝までの下肢に沿って左側の壁伝いに敷設、すなわち左下腿と左壁の間に管を通すかたちで側壁に取り付けていき、管の先端を左膝部分の天井壁に設けた天井穴に出して温風を暖房箱の外に放出し、
前記第三の椀穴に、前記同様の管を繋ぎ、この管を両足つま先中央から両足膝中央までの両下肢中央に沿って天井壁伝いに敷設、すなわち右下腿と左下腿と天井との三角空間に管を通すかたちで天井壁に取り付けていき、管の先端を両足膝中央の天井壁に設けた天井穴に出して温風を暖房箱の外に放出し、
前記第四の椀穴には前記の管は付けず、温風をそのまま直接暖房箱内部に送風する、
以上のような構造で、暖房箱内に入れた下腿を、ファンヒーター温風管の伝導熱と、ファンヒーター直接の対流熱の両方で温めることを特長とする暖房箱。
【請求項２】
請求項１の暖房箱の天井に出した放出温風を、座す人の手元への温風にする考案であって、
そのため用意するノズルは、座す人の手元付近をフレキシブルに動かすノズルであり、
前記ノズルの根元を、請求項１における天井穴に出した管のひとつに挿入して、下肢暖房箱とノズルを一体化させ、
よって下肢暖房箱からの放出温風を、座す人の向けた手元温風として再活用する、
以上のような温風ノズルを付けた請求項１の暖房箱。
【請求項３】
請求項１の暖房箱の天井に出した放出温風を、飲み物を保温する温風にする考案であって、
そのため用意する保温ケースは、湯飲み茶わんなどの肩までを収納する円筒ケースで、これを請求項１の暖房箱の天井に置き、
前記保温ケースは底に、請求項１における温風管を挿入するためのケース穴を開けると共に、飲み物容器とケース穴が直に触れないよう五徳を付け、
前記ケース穴に、請求項１における天井穴に出した管のひとつを挿入させて、暖房器と保温ケースを一体化させ、
よって下肢暖房箱からの放出温風を、ケースに入れた飲み物への保温温風とし再活用する、
以上のような飲み物保温ケースを付けた請求項１の暖房箱。
【請求項４】
請求項１の暖房箱の天井に出した放出温風を、座す人の胸元への加湿温風にする考案であって、
そのため用意する加湿ケースは、小サイズのタオルが入るサイズにして、これを暖房箱の天井に置き、
前記加湿ケースは底に、請求項１における温風管を挿入させるケース穴を開けると共に、タオルとケース穴が直に触れないよう五徳を付けて、
前記ケース穴に、請求項１における天井穴に出した管のひとつを挿入させて、暖房箱とタオル加湿ケースを一体化させ、
よって暖房箱からの放出温風を、ケースに入れた濡れタオルに吹き付ける加湿用の温風として再活用する、
以上のような濡れタオル加湿ケースを付けた請求項１の暖房箱。
【請求項５】
請求項１の暖房箱に、請求項２と請求項３と請求項４の実施を加えて、多機能な暖房箱にする考案であって、
すなわち請求項１における下肢暖房に、手元温風と、飲物保温温風と、濡れタオル加湿温風を加えて、合計４機能を同時に実施する請求項１の暖房箱。
【請求項６】
請求項５のソファーなどに座った人向け４機能暖房箱を、机や事務をする人に向けた４機能暖房箱にする考案であって、
そのための机は、センター引き出しがなくて、天板中央に工作可能な机であって、
前記机の天板中央の椅子に近い部分を、暖房箱の横幅に合わせて「横長ロの字形」に開口し、そこに物を入れる天板ケースを埋め込み、
前記天板ケースはその上部に、ケースを覆う蓋を、天板と平面を同じにして取付けると共に、蓋に無数の細穴を設け、
前記天板ケースはその下部に、暖房箱天井から出した管を挿入させるためのケース穴を３か所設けると共に、天板ケースに入れる物がケース穴と直に触れないよう五徳を付けて、
前記天板ケースの下に暖房箱を繋ぐが、  天板ケース穴３か所に、暖房箱天井穴３本の管を結んで繋ぐ、
以上のような構造で、暖房箱からの放出温風で、机の天板ケースに置いた湯飲み茶わんを保温し、机の天板ケースに入れた濡れタオルを蒸発加湿させ、机の天板に置く両手を温めるとした、請求項５の暖房箱。
【請求項７】
請求項６の冬季に使用する勉強机向けの暖房箱を、夏季も使用可能なオールシーズン型にする考案であって、
その目的のため電気ファンヒーターは、機器本体のＯＮ−ＯＦＦスイッチに加えて、電熱コイルをＯＮ−ＯＦＦするスイッチを取り付ける、
以上のような構造で、夏季の下腿暖房箱使用は、電熱コイルＯＦＦの送風にして運転すると、天板に入れた濡れタオルの水分蒸発が、机の天板周りの熱気を奪って机上を涼しくするとした、請求項６の暖房箱。
【発明の詳細な説明】
【技術分野】
【０００１】  冬季に、居間でソファーなどに座るときの、また勉強部屋で机に向うときの、電気ファンヒーターを内蔵する足元暖房箱５つの技術である。技術を簡単に述べると、暖房箱内でファンヒーターを稼働させ、温風をビニール管で暖房箱内を通過させた後、温風を暖房箱の外へ排出し、排出熱を再度利用するという簡単なものである。簡単ではあるが効果は大きく、ビニール管の温風が「煙突効果」で暖房箱内を迅速に駆け巡る。これにより、▲１▼ビニール管の「熱伝導」で箱に入れた足を軟らかく暖める。次に暖房箱の外に排出する温風で、▲２▼手元を温め、▲３▼持ってきた湯飲み茶わんを保温し、▲４▼着座付近を「濡れタオル加湿」する。以上は冬季の使い方であるが、夏季の勉強机の使用では、熱線回路だけＯＦＦにしてファンを廻し、▲５▼机の天板内の濡れタオルの「打ち水効果」で、机まわりの熱気を奪って涼しくする。
【背景技術】
【０００２】  冬の足を温めるスポット暖房として、様々な技術が考えられてきた。本発明はこれ等技術を頭に置きながら更に新しい技術、即ち暖房箇所を通過した排熱を再利用する、を考えた。
【先行技術文献】
【０００３】
【特許文献１】実願２０１６−５４１７  箱にヒーターを組み入れた技術
【特許文献２】実願２０１４−４０７４  机を布で囲う技術
【特許文献２】特願２００６−１２４３８０  靴下状の保温器の技術
【発明の概要】
【発明が解決しようとする課題】
【０００４】  冬、ソファーや机で、着座を長く続ける人には次のような課題がある。
Ａ）座ったまま長く動かないと血流が滞り、心臓から遠い足元が特に寒い。
Ｂ）同じ理由で指先も冷たくなり、指先が動かないと座ってする様々な作業が捗らない。
Ｃ）冷えを回復するため暖かい飲み物を持ち込むが、すぐ冷めてしまう。
Ｄ）冬季の体ケアに加湿があり部屋全体の機器は多いが、座す人専用のそれがない。
Ｅ）冬の机の暖房具をほぼそのまま活用して、夏の机に暑さ対策をとりたい。
【課題を解決する手段】
【０００５】  これらの課題を解決するため当発明は７つの手段をとる。７つの請求項ごとの手段概略を次に説明する。
【０００６】  請求項１は、この一連の発明の基盤とする、足の下腿部分を温めるファンヒーター内蔵の暖房箱を作る。その暖房の独特な方法は、ヒーターの熱を管に入れて暖房箱に送り込み、その管を暖房箱の中に入れた両足間に絡め、管の伝導熱で足を温める方法である。
【０００７】  請求項２は、暖房箱で足を暖房する役目を終えた放出温風を、座す人の手元への温風に変えるフレキシブルノズルの考案である。
【０００８】  請求項３は、暖房箱で足を暖房する役目を終えた放出温風を、飲み物を保温する温風に変える飲み物保温ケースの考案である。
【０００９】  請求項４は、暖房箱で足を暖房する役目を終えた放出温風を、座す人の胸元を加湿する濡れタオル加湿ケースの考案である。
【００１０】  請求項５は、請求項１の下腿暖房温風に、請求項２の手元温風と、請求項３の飲み物保温と、請求項４の濡れタオル加湿の、合計４つを同時に実施する考案である。
【００１１】  請求項６は、請求項５のソファーでの実施を、これを机で行う考案である。暖房箱で足を温めると共に、机に直接繋いだ机天板からの温風で、手先を温め、飲み物を保温し、胸元を加湿する。
【００１２】  請求項７は、請求項６における冬季の勉強机への実施を、夏季の机に実施する考案である。すなわち、夏季はファンヒーターの電熱コイルＯＦＦ運転で机上に冷風を送り、「濡れタオル打ち水効果」で、タオルからの蒸発が机の周りの熱気を奪って周辺を涼しくする。
【発明の効果】
【００１３】  この発明は、ソファーや机で着座を長くする人に、次のような優れた効果を発揮する。
ａ）冬、下腿を伝導熱で心地よく温める。
ｂ）冬、指先を温め、座ったときする仕事（勉強など）を、滞りなく進める。
ｃ）冬、持ち込んだ暖かい飲み物を冷まさない。
ｄ）冬、座す場所の周辺をパーソナル加湿する。
ｅ）夏、机に座す人の手元・足元を涼しくする。
【図面の簡単な説明】
【００１４】
【図１】請求項１の実施を説明する斜視図
【図２】請求項１の実施一部分を、上面から説明する断面図
【図３】請求項１の実施一部分を、左側面から説明する断面図
【図４】請求項２の実施を説明する斜視図
【図５】請求項３の実施を説明する斜視図
【図６】請求項４の実施を説明する斜視図
【図７】請求項５の実施を説明する斜視図
【図８】請求項６および請求項７の実施を説明する斜視図
【発明を実施するための形態】
【００１５】  当発明の実施形態を詳細に説明していく。最初に請求項１を、図１と図２と図３を見ながら説明する。まず当発明の主体となる、足の下腿２０を温める電気ファンヒーター１０内蔵の暖房箱１を作る。形状を暖房箱の膝からつま先までの下腿２０部分だけを形にして「Ｌ字形」の多面体に、サイズを暖房箱１に入った両足が、中で若干の動きがとれるように作る。
【００１６】  暖房箱１を作る資材として、天井４や右壁２や左壁３や土台６は木材や熱硬化樹脂材など硬い材料を使い、一方ソファーに面する暖房箱１の後ろは、軟らかい布材を使って作る。
【００１７】  前記の軟らかい布材とは、下腿が出入りする布幕７である。その形は底を抜いた巾着袋で、下部の布端を暖房箱１後面の天井４と右壁２と左壁３と土台６を一周して留める。
【００１８】  下腿２０の暖房箱１への出し入れは、袋上部の巾着袋のゴム紐８を拡げる。下腿２０が暖房箱１に入るとゴム紐８は縮んで下腿出入口９は閉まり、暖房箱１は閉じた空間となる。
【００１９】  以上の硬軟２資材によって閉じられた空間である暖房箱１を作ったので、次は箱の中で温風をおこす電気ファンヒーター１０を、暖房箱１の内部の下腿つま先部分に取り付ける。つま先部分に取り付けるのは、一番冷たいつま先をまず温めたいのと、熱気は上昇するので暖房箱１底部のつま先に着けるのである。
【００２０】  電気ファンヒーター１０を、暖房箱１の内部に取り付けるのは、騒音の問題からである。ファンで温風を暖房箱１に送るため、どうしてもファンの風切り音が発生する。騒音を少しでも箱の中に閉じ込めたいので、電気ファンヒーター１０は暖房箱１の中となる。
【００２１】  電気ファンヒーター１０はファンを廻すので、その分外気を取り入れなくてはならない。外気取入れ場所は前述のつま先部分で、該当部分の壁をファンヒーターの外気導入口１１の大きさだけ開口して外気導入窓５を作り、そこに電気ファンヒーター１０の外気取り入れ口１１を挿入して、電気ファンヒーター１０を取付ける。
【００２２】  電気ファンヒーター１０の温風排出口に椀１２を被せる。ファンヒーターは長時間使用することが多いので、椀１２は耐熱性ある熱硬化樹脂で作る。
【００２３】  椀１２に４カ所の椀穴１３を開けて温風送風先を指定する。電気ファンヒーター１０温風に４カ所送風先を指定することがこの発明のエッセンスである。これによる温風の分岐が後述する様々な効果を生む。
【００２４】  ４つ開けたうちの第一の椀穴１３に、熱伝導率がよく管の中を通る温風を管外に熱伝導しやすいビニール、または薄いアルミニュームの管１４を繋ぐ。ファンヒーターの熱を直接伝える対流熱でなく、ファンヒーターの熱をいったんビニールやアルミの管１４に入れて、管１４を通して熱を伝えるのである。
【００２５】  次はこの発明のもう一つのエッセンスを実行する。それは管１４の暖房箱１内の取り回し方である。いま３本のうちのひとつの管１４を、右足つま先１５から右膝１７までの下肢に沿って、右壁２に敷設する。こうすることで管１４の伝導熱を、下腿に巻き付けるようにして、軟らかく心地よい熱を直接下腿２０に伝えるのである。
【００２６】  最後は、管１２の先端を、右膝１７の天井４の壁に設けた天井穴１９に出して温風を暖房箱１の外に放出する。管１４が「煙突効果」で外気を勢いよく吸い込み、早い流れで暖房箱１の外に出ていく。
【００２７】  同様に、第二の椀穴１３にいまひとつの管１４を繋ぎ、暖房箱１の中を循環したのち、管１の先端を左膝１８の天井４壁に設けた天井穴１９に出し、温風を暖房箱の外に放出する。
【００２８】  第三の椀穴１３に、前記同様の管１４を繋ぎ、この管１４を両足つま先中央から両足膝中央までの両下肢中央に沿って天井壁伝いに敷設、すなわち右下腿と左下腿と天井との三角空間に管１４を通すかたちで壁に取り付けていき、管１４の先端を両足膝中央の天井４壁に設けた天井穴１９に出して温風を暖房箱１の外に放出する。
【００２９】  第四の椀穴１３には前記の管１３は付けず、ファンヒーターの温風を椀穴１３からそのまま直接暖房箱１の内部に送風する。前に述べたように第一から第三の椀穴１３の管１４は、暖房箱１に伝導熱で熱を伝えたが、この第四の椀穴１３は直接足に対流熱で温風を伝える。
【００３０】  ソファーに座す人は、下腿２０を暖房箱１に入れて、伝導熱と対流熱で足を温めながらＴＶを見たり新聞を開いたりしてくつろぐ。
【００３１】  請求項２を、図４を見ながら説明する。この発明は、請求項１における暖房箱１の天井穴１９から放出した温風の活用に関する。活用とは、座す人の手元へ温風を送ることである。
【００３２】  そのため用意するのはフレキシブルノズル２１で、ノズルは座す人の手元付近をフレキシブルに動かすことができる。
【００３３】  フレキシブルノズル２１の根元を、請求項１における天井穴１９に出した管１４のひとつに挿入して、暖房箱１とノズルを一体化させる。これによって暖房箱１からの放出温風を、座す人の向けた手元温風として再活用する。
【００３４】  請求項３を、図５を見ながら説明する。この発明は、請求項１における暖房箱１の天井穴１９から放出した温風の活用に関する。活用とは、座す場所に持参した飲み物の保温である。飲み物は、日本茶・コーヒー・紅茶などであり、それらを入れる容器は、湯飲み茶わんや小さなペットボトルやアルミ缶など、丸い容器である。
【００３５】  そのため用意する保温ケース２２も円筒形となる。湯飲み茶わん２３や小さなペットボトルやコーヒーアルミ缶の、肩までを収納する円筒の保温ケース２２を用意し、これを暖房箱１の天井４に置く。
【００３６】  保温ケース２２を容器の肩までにして上部を開放するのは、温風をケース内で行き止まりさせないためである。容器を入れて蓋で閉じた方が一見温まりそうに思うが、閉じるとケースに入った温風に行き場がなく、新しい温風を迎えることができずに飲み物を温めない。
【００３７】  同様理由で、保温ケース２２の筒径は、飲み物容器のそれを若干上回り、二つの間に温風が抜けるものとしている。ぎりぎりまで詰めると温風が渋滞し、飲み物を温めない。
【００３８】  ほぼ同じ理由で、保温ケース２２はその底に、飲み物容器と次に述べるケース穴３５が直に触れないよう五徳２４を付けている。両物が間隔をとることで、温風の流通を妨げない。
【００３９】  保温ケース２２はその底に、管１４を挿入するためケース穴３５を開けている。暖房箱１を通過した温風が、もう一つの部屋である保温ケース２２の中で次の仕事をするための渡り口である。
【００４０】  こうして天井穴１９に出した管１のひとつを、保温ケース２２のケース穴３５に挿入し、暖房器１と保温ケース２２を一体化できた。電気ファンヒーター１０の熱が次々と保温ケース２２に渡り、ソファーに座す人は持参した飲み物を保温する。
【００４１】  請求項４を、図６を見ながら説明する。発明は暖房箱１の放出温風を、座す人の胸元への加湿温風にする考案である。温風によって、濡れタオル２６の水分を蒸発させる加湿方法である。
【００４２】  そのため用意する加湿ケース２５は、小サイズのタオルが入る直方体のサイズであり、これを暖房箱１の天井４に置く。
【００４３】  加湿ケース２５はその底に、管１４を挿入するためケース穴３５を開けると共に、このケース穴２２と濡れタオル２６とが直に触れないよう五徳２４を付けている。
【００４４】  こうして天井穴１９に出した管のひとつを挿入させて、暖房箱１と加湿ケース２５を一体化させ、暖房箱１からの放出温風を、加湿温風として再活用する。
【００４５】  請求項５を、図７で説明する。請求項５は、請求項１の下腿暖房箱に、請求項２と請求項３と請求項４の考案を加える考案である。
【００４６】  すなわち請求項１における足元を温める暖房箱１に、請求項２の手元に温風送るフレキシブルノズル２１と、請求項３の飲み物保温する保温ケース２２と、請求項４の濡れタオル２６で加湿する加湿ケース２５を搭載する。居間でソファーなどに座った人が、上記４つのメリットを満喫しながら、ＴＶを見るなどゆっくり憩うことができる。
【００４７】  請求項６を図８で説明する。請求項６の発明は、請求項５のソファーでの暖房箱１の実施を、勉強する机２７に直接取り付けて実施する考案である。
【００４８】  そのための机２７は、天板２８の中央にセンター引き出しを設けていないことが必須である。すなわち、天板２８の中央に工作を加えることが可能な机２７とする。従って机２７の右側に着けたサイド引き出し２９は、これはあっても構わない。
【００４９】  前記条件に合う机２７の、天板２８中央の椅子に近い部分を、暖房箱１の横幅に合わせて「横長ロの字形」に、横４０センチ×縦８センチほど開口する。これは湯飲み茶わん２３または小さなペットボトルと、普通サイズの濡れタオルが、２種類一緒に入るサイズである。
【００５０】  この開口に天板ケース３１を埋め込む。天板２８の厚さは通常３〜４ｃｍほどであり、濡れタオル２６や湯飲み茶わん２３を入れる天板ケース３１が、天板２８の厚さを超えて下に少し突き出るが、これは一向に構わない。
【００５１】  天板ケース３１はその底に、飲み物容器とケース穴３５が直に触れないよう、五徳２４を付けている。飲み物の底がケース穴３５と間隔をとって、温風の流通を妨げなくするためである。
【００５２】  また天板ケース３１はその底に、暖房箱１の天井４から出した管１４を３本挿入させるためのケース穴３５を３つ設けている。暖房箱１を通過した温風が、もう一つの部屋である天板ケース３１の中で、次の仕事をするための渡り口である。
【００５３】  天板ケース３１は上部にケースを覆う天板ケース蓋３７を、蝶番３６を介して取り付けるが、天板２８とレベルを同じにして取付ける。勉強で机２７の上に手を置いたり本を拡げたりするので、引っ掛かりがないよう天板ケース３１と天板２８とを同面にするのである。
【００５４】  この天板ケース蓋３７は、細穴３２を無数に設けている。後述するように、天板ケース３１から温風や濡れタオル２６の湿気が、この無数の細穴３２から天板２８の上に湧き出るのである。
【００５５】  また天板ケース蓋３７は、飲み物容器ホール３３を設けている。ここに湯飲み茶わん２３など飲み物容器入れて、倒れないよう安定させる。
【００５６】  以上の準備によって、天板ケース３１のケース穴３５の３つを、暖房箱１の天井穴１９から出た３本の管１４に繋いで、暖房箱１と机２７が一体化した。暖房箱１からの放出温風で、湯飲み茶わん２３を天板ケース３１の飲み物容器ホール３３入れて飲み、濡れタオル２６を天板ケース３１に入れて机２７周辺を加湿させ、勉強する両手を天板ケース３１の上で温めて、寒い冬でも勉強に集中できる。
【００５７】  請求項７を説明する。請求項７は、請求項６の冬季に机２７で使用する下肢暖房箱１を、夏季も使用可能にする考案である。請求項７は請求項６の追随発明であるので、請求項６で示した図８を見ながら説明する。
【００５８】  その目的のため電気ファンヒーター１０は、機器本体のＯＮ−ＯＦＦ３８スイッチに並べて、電熱コイルＯＮ−ＯＦＦ３８スイッチを取り付ける。
【００５９】  また当然のことながら夏季は、布幕７を暖房箱１から取り外して使用する。
【００６０】  これにより、夏季の下腿暖房箱は、電熱コイルＯＦＦの送風にして、天板２８に入れた濡れタオル２６の水分を気化させ、打ち水効果で机２７の天板２８周りに冷気を漂わせる。
【００６１】  また暖房箱１の中では、管１４を繋がない第４の椀穴１３からは冷風が出て、足元を涼しくする。
【産業上の利用可能性】
【００６２】  ソファーや机など家具の分野に、従来にない付加価値を与え、さらの発展に寄与する。
【符号の説明】
【００６３】  １  暖房箱                        ２  右壁
３  左壁                          ４  天井
５  外気導入窓                    ６  土台
７  布幕                          ８  ゴム紐
９  下腿出入口                  １０  電気ファンヒーター
１１  外気導入口                  １２  椀
１３  椀穴                        １４  管
１５  右足つま先                  １６  左足つま先
１７  右膝                        １８  左膝
１９  天井穴                      ２０  下腿
２１  フレキシブルノズル          ２２  保温ケース
２３  湯飲み茶わん                ２４  五徳
２５  加湿ケース                  ２６  濡れタオル
２７  机                          ２８  天板
２９  サイド引き出し              ３０  脚
３１  天板ケース                  ３２  細穴
３３  飲み物容器ホール            ３４  暖房箱の机への取り付け位置示す矢印
３５  ケース穴                    ３６  蝶番
３７  天板ケース蓋                ３８  ＯＮ−ＯＦＦスイッチ
【図１】
2020139723.tif 000003
【図２】
2020139723.tif 000004
【図３】
2020139723.tif 000005
【図４】
2020139723.tif 000006
【図５】
2020139723.tif 000007
【図６】
2020139723.tif 000008
【図７】
2020139723.tif 000009
【図８】
2020139723.tif 000010